(57)【要約】椅子部材またはベッド部材は、その椅子部材またはベッド部材に関する情報のデータ記憶装置を有する。椅子部材またはベッド部材にはさらに、椅子部材またはベッド部材を使用している人の身体移動を感知して、データ記憶装置から情報を出力するセンサ（２３、３０、３６、４３）も設けられている。
2004519272.tif 000002
【特許請求の範囲】
【請求項１】
関連情報を含むデータ記憶手段を有し、さらに、該データ記憶手段から情報の出力を生じる身体移動感知手段を有する椅子部材またはベッド部材。
【請求項２】
可動部品と、該可動部品用の制御部とを有しており、前記データ記憶手段は、前記制御部の操作に関する情報を含む請求項１記載の椅子部材またはベッド部材。
【請求項３】
前記データ記憶手段は、各制御部に１つずつ設けられた複数のプログラムコンピュータチップを有する請求項２記載の椅子部材またはベッド部材。
【請求項４】
前記身体移動感知手段は、複数の圧力センサを有しており、該圧力センサは、前記制御部に配置されている請求項３記載の椅子部材またはベッド部材。
【請求項５】
前記制御部は、パドルを備えたレバーを有しており、前記圧力センサは、該パドル内に設けられている請求項４記載の椅子部材またはベッド部材。
【請求項６】
前記データ記憶手段から情報の出力を可聴音で生じるスピーカをさらに有する請求項１記載の椅子部材またはベッド部材。
【請求項７】
前記データ記憶手段は、視覚表示装置に出力する請求項２記載の椅子部材またはベッド部材。
【請求項８】
前記視覚表示装置は、遠隔配置されている請求項７記載の椅子部材またはベッド部材。
【請求項９】
前記視覚表示装置は、搭載型である請求項７記載の椅子部材またはベッド部材。
【請求項１０】
前記データ記憶手段は、出所（ｏｒｉｇｉｎ）に関する情報を含む請求項１記載の椅子部材またはベッド部材。
【請求項１１】
前記データ記憶手段は、構造（ｃｏｎｓｔｒｕｃｔｉｏｎ）に関する情報を含む請求項１記載の椅子部材またはベッド部材。
【請求項１２】
前記データ記憶手段は、コンピュータチップを有し、前記感知手段は、前記制御部の各々に１つずつ設けられた複数の圧力センサを有し、前記コンピュータチップから発生する出力は、前記圧力センサのうちの選択したものによって決まる請求項２記載の椅子部材またはベッド部材。
【請求項１３】
前記コンピュータチップからの出力を可聴音で生じるスピーカを有し、該スピーカは、前記コンピュータチップに搭載されており、前記ボードは、隠蔽位置に交換可能に取り付けられている請求項１２記載の椅子部材またはベッド部材。
【請求項１４】
座部および背もたれを有しており、前記ボードは、前記背もたれの高い位置のポケット内に隠蔽される請求項１３記載の椅子部材またはベッド部材。
【請求項１５】
前記データ記憶手段は、プログラムコンピュータチップを有しており、前記感知手段は、前記コンピュータチップから遠隔位置に配置されて、空中伝送信号を前記コンピュータチップに送り、該コンピュータチップから情報を出力するようにする、圧力センサを有する請求項１記載の椅子部材またはベッド部材。
【請求項１６】
使用している人に関する健康情報を出力するバイオリズム検出センサを有する椅子部材またはベッド部材。
【請求項１７】
前記センサを内部に配置した座部を有する請求項１６記載の椅子部材またはベッド部材。
【請求項１８】
前記センサを内部に配置した肘掛けを有する請求項１６記載の椅子部材またはベッド部材。
【請求項１９】
前記センサは、前記センサから健康情報を受け取るようにプログラムされている、健康情報を表示するモニタを有するコンピュータに出力する請求項１６記載の椅子部材またはベッド部材。
【発明の詳細な説明】
【０００１】
［発明の分野］
本発明は、可動部品と、これらの可動部品用の制御部とを有する椅子部材またはベッド部材に関する。
【０００２】
［発明の背景］
ある人にとって快適な着座または横臥姿勢が、別の人には快適でないことがある。さらに、人は皆、異なった体形および体格を有する。したがって、本質的に今日までのほとんどすべての事務椅子は、異なった人々に合わせるために多くの異なった可動部品を有する。一般的に、これらの各々が専用の制御部を有する。
【０００３】
同じことが、調節可能なラウンジチェアや、さらには新設計の調節可能なベッドの一部にも当てはまる。
【０００４】
人が上記物品を購入する時、その物品にはそれの適当な使い方を説明する何らかの取扱説明書が付いてくる。この時点では、椅子部材またはベッド部材を使用する人が、異なった可動部品の適正位置をセットする仕方がわからなくても、一般的に問題ない。
【０００５】
しかし、調節操作がそれほど明らかでない時がある。たとえば、別の人が椅子部材またはベッド部材を使用したい時や、それを調節した人が、長期間にわたって椅子部材またはベッド部材を使用しなかった時でも、制御部の操作が混乱するであろう。
【０００６】
また、たとえば、事務椅子などの製品を追加注文したいが、追加注文するために必要な情報を直ちに入手できない時もある。
【０００７】
［発明の概要］
本発明は、上記欠点を克服する椅子部材またはベッド部材に関する。さらに具体的に言うと、本発明の椅子部材またはベッド部材は、その椅子部材またはベッド部材に関する情報を含むデータ記憶手段を有すると共に、そのデータ記憶手段から情報の出力を生じる身体移動感知手段を有するものである。
【０００８】
本発明の１つの態様によれば、データ記憶手段は、コンピュータチップを有し、身体移動感知手段は、コンピュータチップから出力を生じるための圧力センサを有する。この出力は、可聴または視覚的のいずれでもよい。
【０００９】
本発明の別の態様によれば、椅子部材またはベッド部材は、異なった可動部品を有し、それらの部品用の制御部を備えている。データ記憶手段は、制御部の使い方に関する情報を含む。
【００１０】
本発明の別の態様によれば、データ記憶手段は、椅子部材またはベッド部材の履歴に関する情報を含み、これは、たとえば、追加注文する時に利用することができる。
【００１１】
次に、本発明の上記および他の利点および特徴を、本発明の好適な実施形態にしたがってさらに詳細に説明する。
【００１２】
［本発明の好適な実施形態にしたがった詳細な説明］
図１は、全体的に１で表した事務用椅子を示す。この椅子は、座部３と背もたれ１７とを有する。椅子の座部および背もたれは共に、椅子のさまざまな使用位置へ移動可能である。これらのさまざまな部分は、椅子を使用している人が椅子に着座時にさまざまな人間工学的に望ましい身体姿勢をとることができるようにする。
【００１３】
特に、座部３は、レバー制御部５、９および１３によって調整される。これらのレバー制御部の各々は、それぞれ制御パドル７、１１および１５を備えている。
【００１４】
背もたれは、制御パドル２１を有するレバー１９によって調整可能である。
【００１５】
対応のパドルを備えた上記レバー制御部の各々は、たとえば、座部の高さおよび角度調整や、背もたれの角度調整などのさまざまな調整を制御する。適当な制御部による調整の実際の仕方は一般的に、調節中に椅子の最初の使用者が学習するが、椅子の別の使用者には必ずしも知らされないか、椅子の最初の使用者も時間が経過すれば恐らく忘れてしまうようなものである。
【００１６】
本発明によれば、椅子自体に、制御のための操作手引きが含まれている。
【００１７】
さらに具体的に言うと、椅子は、専用のデータ記憶手段と、データ記憶手段から出力を生じるための身体移動センサとを備えている。図示の好適な実施形態では、データ記憶手段は、事前プログラムコンピュータチップを有し、コンピュータチップから出力を生じるための圧力センサが設けられている。
【００１８】
椅子１内に複数のチップボード２５、３１および３７が座部の下側に取り付けられている。図１に示されているように、それぞれのチップボードに接続された圧力センサ２３、３０および３６が、パドル７、１１および１５内に配置されている。
【００１９】
チップボード２５、３１および３７はさらに、小型スピーカ２７、３３および３９を有する。
【００２０】
事前プログラムコンピュータチップ４７およびスピーカ４９を担持しているさらなるチップボード４５が、背もたれの後側に取り付けられている。パドル２１内に配置された圧力センサ４３が、チップボード４５に接続されている。
【００２１】
ユーザが椅子に腰掛けた状態で、圧力センサのいずれか１つを押すと、対応のコンピュータチップが、その圧力センサを取り付けたレバーの操作に関する可聴音出力を発生する。これによって、椅子を適切に調節する仕方において勘に頼る必要がなくなる。これは、企業展示会などで椅子の実演をする時に特に望ましい特徴である。
【００２２】
椅子の使用者が説明を必要としない場合、圧力センサを押さないで制御部を操作することができることは、理解されるであろう。
【００２３】
また、熱または光センサなどの他の形式の身体移動センサを制御部に使用することができることも、理解されるであろう。人が手をこれらの形式のセンサに近づけるか、その上方で移動させると、それらもプログラムチップから出力を生じるであろう。
【００２４】
図２は、プログラムチップ２９およびスピーカ２７を保持しているチップボード２５に接続された圧力センサ２３を詳細に示す。図３は、圧力センサおよびチップボード間の配線を、レバーパドル７からレバー５の中空内部に通して座部の基部まで取り付ける仕方を示している。したがって、レバーは、そうでなければむき出しで見苦しい椅子上の配線であるものに対する保護カバーになる。
【００２５】
複数の個別チップおよびチップボードの代わりに、図４は、複数のセンサ５１、５３、５５および５７のすべてを、制御部のすべてに関する情報をプログラムした単一チップ６１を収容した１つのボード５９内につなぐことができることを示している。圧力センサ自体は、やはり個別の制御パドルに配置されている。単一のスピーカ６３が、椅子の操作情報の可聴音出力を生じるであろう。
【００２６】
図５は、複数のセンサが、コンピュータチップ８１、およびチップ８１から出力するためのスピーカ８３を担持しているチップボード７９に、有線式信号ではなく空中伝送信号を送る点を除いて、図４と同様の概念を示している。
【００２７】
以上の記載はすべて、椅子内のコンピュータチップデータ記憶装置からの出力が可聴音である場合に関する。しかし、図５から、センサ７１〜７７のいずれも、椅子に搭載するか、遠隔位置に置くことができる表示画面による映像出力用の信号を発生することができることは、容易に理解されるであろう。特に好ましいシステムは、椅子から操作されるコンピュータモニタに出力を視覚表示するものである。
【００２８】
時間が経過すると、チップボードが作動用に保持している小型バッテリが、最終的に消耗してしまうであろう。図６は、図６に示された複数のセンサまで配線されたソケット９５に差し込まれる雄形接点端部９３を有する交換式チップボード９１を示している。このチップボードは、寿命が尽きると、新しいチップボードに容易に交換することができる。
【００２９】
図６において、チップボード９１は、椅子の背もたれの高い位置に設けられたポケット９９内に収容されることに注意されたい。チップボードを効果的に隠蔽するのに役立つポケット９９を、椅子の使用者の頭部とほぼ同一高さに配置することによって、ユーザは、チップボードの小型スピーカからの説明を容易に聞くことができる。
【００３０】
以上の説明では、制御部の使い方に関する説明を含む制御部の各々を参照している。本発明のさらなる態様によれば、チップの１つまたはすべてに含まれる情報を、椅子に関する履歴情報にすることができる。たとえば、チップのいずれかが、椅子の通し番号、製造者、または構造さえも識別することができる。これによって、椅子の追加注文が容易になる。
【００３１】
図７は、椅子に追加センサ１０１を設けた本発明の別の実施形態を示す。このセンサは、椅子の座部の表面のすぐ下側で、椅子の腰掛けた人の大腿部の後側の真下になる領域に埋め込まれている。それは、人が前腕を載せる椅子の肘掛け内に埋め込むことも同様に可能である。これらは、発熱率（ｈｅａｔ ｒａｔｅ）や血圧などを表示する人のバイオリズムを触れて調べることができる身体の２カ所、すなわち、大腿部の下側および前腕である。センサは、これらのバイオリズムを検出して、センサから出力する。
【００３２】
図７に示されたセットでは、椅子は、人がコンピュータ１０５の前に座るように使用されている。このコンピュータは、センサ１０１から出力を受け取って表示するようにプログラムされている。このように、椅子を使用する人は、椅子に腰掛けるだけで、自分の健康情報を容易に得ることができる。
【００３３】
人が椅子に腰掛ける毎にそのような情報を得ることを望まない場合、コンピュータでバイオフィードバックシステムをオフにするだけでよい。
【００３４】
さらに、以上の説明は、事務椅子に特定しているが、本発明の概念は、いずれのタイプの椅子や、ラウンジ椅子や、ベッドにも、可動部の有無に関係なく、同様に適用されることを理解されたい。したがって、本発明のさまざまな好適な実施形態を記載したが、本発明の精神または併記の特許請求項の範囲から逸脱することなく、変更を加えることができることを理解されたい。
【図面の簡単な説明】
【図１】
本発明の好適な実施形態にしたがって製造された事務椅子の斜視図である。
【図２】
図１の椅子からセンサおよび情報包含システムを見下ろした斜視図である。
【図３】
図１の椅子のセンサの取り付け方を示す斜視図である。
【図４】
本発明のさまざまな好適な実施形態にしたがったさまざまな感知およびデータ記憶構造を示す。
【図５】
本発明のさまざまな好適な実施形態にしたがったさまざまな感知およびデータ記憶構造を示す。
【図６】
本発明のさまざまな好適な実施形態にしたがったさまざまな感知およびデータ記憶構造を示す。
【図７】
本発明のさらに別の実施形態にしたがった、さらなる機構を組み込んだ事務椅子を示す。
【図１】
2004519272.tif 000003
【図２】
2004519272.tif 000004
【図３】
2004519272.tif 000005
【図４】
2004519272.tif 000006
【図５】
2004519272.tif 000007
【図６】
2004519272.tif 000008
【図７】
2004519272.tif 000009
【国際公開パンフレット】
2004519272.tif 000010
2004519272.tif 000011
2004519272.tif 000012
2004519272.tif 000013
2004519272.tif 000014
2004519272.tif 000015
2004519272.tif 000016
2004519272.tif 000017
2004519272.tif 000018
2004519272.tif 000019
2004519272.tif 000020
2004519272.tif 000021
2004519272.tif 000022
2004519272.tif 000023
2004519272.tif 000024
2004519272.tif 000025
2004519272.tif 000026
2004519272.tif 000027
【国際調査報告】
2004519272.tif 000028
2004519272.tif 000029